(57)【要約】      （修正有）【課題】茶の生産において，より効率的な機械の活用を行いうる手法を提供する。【解決手段】茶畑用機械システムは，茶畑において畝を覆う架台と，架台に取り換え可能に設置される機械器具と，を備えている。機械器具は，茶摘みを行うための茶摘機械器具，剪定を行うための剪定機械器具，農薬を散布するための農薬散布機械器具，肥料を撒くための施肥機械器具のいずれか又は複数からなる。架台は，屋根状部材と，屋根状部材を支持するための脚状部材と，畝の長手方向に沿って配置される左右一対のレール状部材と，左右一対のレール状部材に移動可能に取り付けられる機械器具設置部材と，を備えている。そして，機械器具を機械器具設置部材に設置することにより，機械器具が左右一対のレール状部材に沿って移動可能となる。【選択図】図９
2019037146.tif 000002
【特許請求の範囲】
【請求項１】
茶畑において畝を覆う架台と，前記架台に取り換え可能に設置される機械器具と，を備えることを特徴とする茶畑用機械システム。
【請求項２】
前記架台が，
屋根状部材と，
前記屋根状部材を支持するための脚状部材と，
前記畝の長手方向に沿って配置される左右一対のレール状部材と，
前記左右一対のレール状部材に移動可能に取り付けられる機械器具設置部材と，を備え，
前記機械器具が，
茶摘みを行うための茶摘機械器具，
剪定を行うための剪定機械器具，
農薬を散布するための農薬散布機械器具，
肥料を撒くための施肥機械器具
のいずれか又は複数からなり，これら機械器具を前記機械器具設置部材に設置することにより，前記機械器具が前記左右一対のレール状部材に沿って移動可能となることを特徴とする請求項１に記載の茶畑用機械システム。
【請求項３】
前記機械器具設置部材が，
前記畝の長手方向と直交する方向に配置され，前記左右一対のレール状部材に移動可能に取り付けられる前後一対のレール状部材と，
前記前後一対のレール状部材に移動可能に取り付けられる機械器具設置部材本体と，を備えたことを特徴とする請求項２に記載の茶畑用機械システム。
【請求項４】
前記茶摘機械器具が，
前記機械器具設置部材に懸垂される吊り下げ部材と，
前記吊り下げ部材に連結され，前後が開口した機筐と，
前記機筐の底板前縁部に沿設されたバリカン式刈刃と，
前記機筐の一側上部に搭載された原動機及び送風機と，
前記刈刃の斜め前上方に沿わせて配設された，前記送風機の吹出口と連通する送風管と，
前記送風管に刈刃方向に臨ませて並設された複数の排風口と，を備えたことを特徴とする請求項２又は３に記載の茶畑用機械システム。
【請求項５】
前記屋根状部材が，角度調整可能となっていることを特徴とする請求項２から４のいずれか１項に記載の茶畑用機械システム。
【請求項６】
前記屋根状部材に太陽光パネルが設置されていることを特徴とする請求項２から５のいずれか１項に記載の茶畑用機械システム。
【発明の詳細な説明】
【技術分野】
【０００１】
本発明は，茶畑用機械システムに関する。さらに詳しくいうと本発明は，茶畑に据え付けられる機械システムであって，架台に複数種の機械器具を取り換え可能に設置することにより，茶摘みや剪定など複数種の作業が可能となる茶畑用機械システムに関する。
【背景技術】
【０００２】
現代において茶の栽培は，広大な畑でなされることが多く，数十ヘクタールから数万ヘクタールに及ぶような畑まで存在する。そのため，効率的な栽培を行うためには機械を用いるのが通常であり，様々な機械が用いられている。
そのような機械としては，肥料を撒く機械（特許文献１），農薬を散布する機械（特許文献２），剪定を行う機械（特許文献３），茶摘みを行う機械（特許文献４から６）などに関する技術が提案されている。
【先行技術文献】
【特許文献】
【０００３】
【特許文献１】特開２０１６−０５２２９１号公報
【特許文献２】特開２００４−２６１１５７号公報
【特許文献３】特開２０１２−１７０３５１号公報
【特許文献４】特開２０１２−２２３１８５号公報
【特許文献５】特開２０１６−０３４２４１号公報
【特許文献６】特開２０１７−０４２０６７号公報
【発明の開示】
【発明が解決しようとする課題】
【０００４】
先行技術文献に開示された機械は，いずれも茶畑において畝を挟むようにして両側の畝の間を自走する機械である。
すなわち，いずれの機械も，移動を行うための機能は共通するものであり，自走するために設けられた一対のキャタピラやローラ間に設けられている機械的性能を異にすることで，異なる機能を発揮する仕様となっている。
【０００５】
先行技術におけるかかる仕様は，機械毎の最適化を容易にするとともに，メンテナンス性にも優れるなど，利点を有することは確かである。
しかるに，いずれの機械も，１台が数百万円にも及ぶことから，全ての機械を購入することは，農家にとって大きな経済的負担になっているのが現状である。
【０００６】
そもそも，茶をはじめとして，農業従事者の数自体が減少しているとともに高齢化しているのが現状である。このことは，少なくとも日本においては，農業自体が成長産業といえず，経済的・人的投資がなされていない状況といえる。
しかるに，日本の農業を未来あるものとするためには，従来と比較して，より生産性を高めるとともに，より高収益な農業を目指す必要があり，その一つとして，より費用対効果の高い機械の開発は重要と考えられる。
このような事情により，発明者らは，様々な検討を開始したものである。
【０００７】
上記事情を背景として，本発明では，茶の生産において，より効率的な機械の活用を行いうる技術の開発を課題とする。
【課題を解決するための手段】
【０００８】
発明者らは，鋭意研究の結果，茶畑において，畝を覆うように架台を据え付けるとともに，その架台にアタッチメントとして各種機能を発揮する機械器具を設置し，当該機械器具を架台に沿って移動させながら各種機能を発揮させて作業を行いうる茶畑用機械システムに想到し，発明を完成させたものである。
【０００９】
本発明は，容易に想到しうるものではない。
すなわち，本発明における架台が屋根状部材を備えるため，一見すると，茶への日当たりを抑制することとなり，茶葉の成長を阻害すると思えるからである。
【００１０】
しかるに，そもそも茶自体は，本来，日陰を好む植物とされ，過剰な日光は，茶葉の光合成を促進し，茶の渋みが増す結果となり，必ずしも好ましいものではない。そのため，覆下栽培と称される，黒い布で覆い，日陰で茶を栽培する手法も存在するほどである。
【００１１】
発明者らは，かかる茶の特徴に鑑み，屋根状部材に角度調整機能を持たせることにより日当たり具合を調整することで，茶の成長を阻害せず，むしろ茶の渋みや甘みをコントロールしうることに着想したものである。
加えて，屋根状部材自体が，霜などの付着を防ぐ役割を果たすものとして効果的に機能することを発明者らは見出し，これまで茶畑に用いられていた防霜ファンを不要とすることを可能としたものである。
【００１２】
さらに発明者らは，広大な面積を持つ茶畑に着目し，屋根状部材に太陽光パネルを備えることに着想したものである。
そもそも，茶畑自体は，日当たり良好な場所に立地するため，十分な太陽光発電を行うことが可能となる。これにより，発電した電力を，機械器具を駆動するために利用したり，発電した電力を売電することによって収入を得ることで，農地における単位面積当たりの収入を向上させることに着想したものである。
【００１３】
本発明は，以下の構成からなる。
本発明の第一の構成は，茶畑において畝を覆う架台と，前記架台に取り換え可能に設置される機械器具と，を備えることを特徴とする茶畑用機械システムである。
【００１４】
本発明の第二の構成は，前記架台が，
屋根状部材と，
前記屋根状部材を支持するための脚状部材と，
前記畝の長手方向に沿って配置される左右一対のレール状部材と，
前記左右一対のレール状部材に移動可能に取り付けられる機械器具設置部材と，を備え，
前記機械器具が，
茶摘みを行うための茶摘機械器具，
剪定を行うための剪定機械器具，
農薬を散布するための農薬散布機械器具，
肥料を撒くための施肥機械器具
のいずれか又は複数からなり，これら機械器具を前記機械器具設置部材に設置することにより，前記機械器具が前記左右一対のレール状部材に沿って移動可能となることを特徴とする第一の構成に記載の茶畑用機械システムである。
本発明の第三の構成は，前記機械器具設置部材が，
前記畝の長手方向と直交する方向に配置され，前記左右一対のレール状部材に移動可能に取り付けられる前後一対のレール状部材と，
前記前後一対のレール状部材に移動可能に取り付けられる機械器具設置部材本体と，を備えたことを特徴とする第二の構成に記載の茶畑用機械システムである。
【００１５】
本発明の第四の構成は，前記茶摘機械器具が，
前記機械器具設置部材に懸垂される吊り下げ部材と，
前記吊り下げ部材に連結され，前後が開口した機筐と，
前記機筐の底板前縁部に沿設されたバリカン式刈刃と，
前記機筐の一側上部に搭載された原動機及び送風機と，
前記刈刃の斜め前上方に沿わせて配設された，前記送風機の吹出口と連通する送風管と，
前記送風管に刈刃方向に臨ませて並設された複数の排風口と，を備えたことを特徴とする第二又は第三の構成に記載の茶畑用機械システムである。
【００１６】
本発明の第五の構成は，前記屋根状部材が，角度調整可能となっていることを特徴とする第二から第四の構成に記載の茶畑用機械システムである。
本発明の第六の構成は，前記屋根状部材に太陽光パネルが設置されていることを特徴とする第二から第五の構成に記載の茶畑用機械システムである。
【発明の効果】
【００１７】
本発明により，茶の生産において，より効率的な機械の活用を行いうる技術の提供が可能となった。
すなわち，本発明の茶畑用機械システムを用いれば，架台に設置される機械器具を取り換えることにより，茶摘み，剪定，農薬散布，施肥，これらの機能の発揮を可能とすることができる。
【図面の簡単な説明】
【００１８】
【図１】本発明の一実施の形態における茶畑用機械システムの概略構成を示す平面図
【図２】本発明の一実施の形態における茶畑用機械システムの概略構成を示す左側面図
【図３】本発明の一実施の形態における茶畑用機械システムの概略構成を示す正面図
【図４】本発明の一実施の形態における茶畑用機械システムの構成部材である機械器具設置部材を示す平面図
【図５】本発明の一実施の形態における茶畑用機械システムの構成部材である機械器具設置部材に，同じく構成部材である機械器具を設置した状態を示す左側面図
【図６】本発明の一実施の形態における茶畑用機械システムの構成部材である機械器具設置部材に，同じく構成部材である機械器具を設置した状態を示す正面図
【図７】図６のVII−VII線矢視図
【図８】図６のVIII−VIII線矢視図
【図９】本発明の茶畑用機械システムにおいて設置された茶摘機械器具の試作例を示した図
【発明を実施するための形態】
【００１９】
以下，好適な実施の形態を用いて本発明をさらに具体的に説明する。ただし，下記の実施の形態は本発明を具現化した例に過ぎず，本発明はこれに限定されるものではない。
【００２０】
＜＜Ｉ．茶畑用機械システムの概要＞
本発明の茶畑用機械システムは，茶畑において畝を覆う架台と，前記架台に取り換え可能に設置される機械器具と，を備えることを特徴とする。
すなわち，本発明の茶畑用機械システムは，架台に設置される機械器具を取り換えることにより，茶摘み，剪定，農薬散布，施肥，これらをはじめとする機能の発揮を可能とするものである。
これにより，従来，複数種の独立した機械を用いて行われていた茶葉の生産と同等の作業を，比較的安価で済む機能ユニット（機械器具）の交換によって行うことが可能となり，より経済的な茶葉の生産が期待できる。
【００２１】
本発明において架台は，畝を覆うとともに，機械器具を設置する役割を果たす構成として定義される。架台は，かかる役割を果たす限り，特に限定されるものではなく，種々の形状ないし構造のものを採用することができる。
【００２２】
架台は，屋根状部材と，前記屋根状部材を支持するための脚状部材と，畝の長手方向に沿って配置される左右一対のレール状部材と，前記左右一対のレール状部材に移動可能に取り付けられる機械器具設置部材と，を備える構成とすればよい。
かかる構成によれば，架台を，比較的，簡易な部材で設計することができ，本発明の茶畑用機械システムの取扱性や経済性を向上させることができるという効果が得られる。
このような架台の構成としては，典型的には，図１から３に示すような構成とすればよい。
【００２３】
屋根状部材は，畝を覆うための屋根としての役割を果たす。また，かかる構成により屋根状部材は，霜などの付着を防ぐ役割をも果たす。これにより，従来，霜を防ぐものとして設置されていた防霜ファンが不要となり，防霜ファンの設置の手間や費用を防ぐことができる効果を有する。
屋根状部材は，かかる役割を果たす限り，特に限定されるものではなく，種々の形状ないし構造のものを採用することができる。
屋根状部材は，典型的には，図３の2aに示すような，金属製の平面状部材とすればよい。
【００２４】
本発明において屋根状部材は，角度調整可能となっていることが好ましい。
かかる好ましい構成によれば，畝に対する日当たり具合を調整することで，茶の成長を阻害せず，むしろ茶の渋みや甘みをコントロールすることが可能になるという効果が得られる。
【００２５】
さらに屋根状部材には，太陽光パネルが設置されていることが好ましい。
かかる好ましい構成によれば，本発明の茶畑用機械システムにおいて太陽光発電を行うことが可能となり，発電した電力を，機械器具を駆動するために利用したり，発電した電力を売電することによって収入を得ることで，農地における単位面積当たりの収入が向上することが期待できる。
太陽光パネルは，典型的には，図３の５に示すように，屋根状部材の上面に器具を用いて設置すればよい。
【００２６】
本発明において脚状部材は，屋根状部材を支持する役割を果たす。脚状部材は，かかる役割を果たす限り，特に限定されるものではなく，種々の形状ないし構造のものを採用することができる。
脚状部材は，典型的には，図１から図３の2bに示すような，金属製の柱状部材とすればよい。
【００２７】
本発明において架台が脚状部材を備えることにより，畝の間の部分への重量付加を減少させることができるため，土壌への悪影響を低減することが可能になるという効果が得られる。
すなわち，従来技術においては，重量物である機械器具が畝の間を繰り返し移動することにより，土壌が固まってしまい，空気や水の通りが悪くなるとともに，根の伸長が阻害され，茶の生育が損なわれるという問題があった。結果として，数年単位で，生育した畝自体を除去し，土壌の整備とともに畝の形成を行う必要があった。
本発明は，架台において脚状部材を用いることにより，そのような問題を解消しうるものであり，茶畑の延命化や作業負担の大幅な軽減を期待できるものである。
【００２８】
レール状部材は，畝の長手方向に沿って配置されるものであり，機械器具設置部材とともに，機械器具を，直接的ないし間接的に，移動させる役割を果たす。レール状部材は，かかる役割を果たす限り，特に限定されるものではなく，種々の形状ないし構造のものを採用することができる。
レール状部材は，典型的には，図１から３の2cに示すように，引っ掛かりを有する直線状の金属製部材（リップ溝形鋼（Ｃ型鋼））とすればよい。また，機器類の軽量化ないし土地形状により，Ｈ型鋼などを用いてもよい。
【００２９】
機械器具設置部材は，レール状部材に取り付けられる部材であり，機械器具が設置されるとともに，直接的ないし間接的に，機械器具を移動させる役割を果たす。機械器具設置部材は，かかる役割を果たす限り，特に限定されるものではなく，種々の形状ないし構造のものを採用することができる。
機械器具設置部材は，典型的には，図１から３の2dに示すように，機械器具の取り付けに対応した部材と，金属製フレームと，の組み合わせとすればよい。
なお，機械器具設置部材は，架台の一構成部材として定義されているが，本発明の趣旨に鑑み，機械器具設置部材を，機械器具と一体化させたものとして構成してもよい。すなわち，機械器具そのものが，架台のレール状部材に直接取り付けられた構成とすることもできる。
【００３０】
機械器具は，機械器具設置部材に設置されるとともに，茶畑において有用な機能を発揮する器具として定義される。機械器具は，かかる機能を備える限り，特に限定されるものではなく，種々の構成ないし機能を持たせることができる。
機械器具の典型的な機能としては，茶摘み機能，剪定機能，農薬散布機能，施肥機能が挙げられるが，これらの機能に限定されるものではなく，他の機能を備えていてもよい。
また，機械器具は，機械器具設置部材に設置されることにより，レール状部材に沿って畝の長手方向に移動可能となるものである。
【００３１】
機械器具としては，少なくとも茶摘機械器具を備えることが好ましい。
かかる好ましい構成によれば，効率的な茶摘み作業が可能となり，本発明の茶畑用機械システムの有用性を向上させることができるという効果が得られる。
茶摘機械器具は，例えば，機械器具設置部材に懸垂される吊り下げ部材と，前記吊り下げ部材に連結され，前後が開口した機筐と，前記機筐の底板前縁部に沿設されたバリカン式刈刃と，前記機筐の一側上部に搭載された原動機及び送風機と，前記刈刃の斜め前上方に沿わせて配設された，前記送風機の吹出口と連通する送風管と，前記送風管に刈刃方向に臨ませて並設された複数の排風口と，から構成することができる。
【００３２】
本発明の茶畑用機械システムは，他の補助的部材を備えていても構わない。このような部材としては，例えば，茶摘みの際の茶摘み袋を載せるための枠状部材（図１の６）や，機械器具の設置や茶摘み袋の移動を補助するための台車（図２の７）などが挙げられる。
これらの補助的部材を備えることにより，作業者の少人数化や重労働の軽減が可能になるという効果が得られる。すなわち，従来技術の茶摘みを行う機械（茶摘機械）を用いた場合，茶摘機械を運転する人や茶摘み袋を持つ人など，複数の作業者で作業を行う必要があり，茶摘み袋自体も茶葉によってそれなりの重量となるため重労働であった。
本発明の茶畑用機械システムによれば，機械器具は，レール状部材に沿って自走可能なように設計されているものであり，茶摘み袋は，枠状部材や台車に載せる形で移動が可能となるため，茶摘み袋そのものを持って歩く必要もなくなる。そして，これにより，作業者の少人数化や重労働の軽減が可能となるものである。ひいては，より収益性の高い生産が可能となり，農業従事者の増加を促し過疎化対策にも効果が期待できるものである。
【００３３】
＜＜II．実施の形態＞＞
次に，本発明の一実施の形態における茶畑用機械システムについて，図１から図８を参照しながら説明する。
【００３４】
図１は，本発明の一実施の形態における茶畑用機械システムの概略構成を示す平面図，図２は，当該茶畑用機械システムの概略構成を示す左側面図，図３は，当該茶畑用機械システムの概略構成を示す正面図，図４は，当該茶畑用機械システムの構成部材である機械器具設置部材を示す平面図，図５は，当該茶畑用機械システムの構成部材である機械器具設置部材に，同じく構成部材である機械器具を設置した状態を示す左側面図，図６は，当該茶畑用機械システムの構成部材である機械器具設置部材に，同じく構成部材である機械器具を設置した状態を示す正面図，図７は，図６のVII−VII線矢視図，図８は，図６のVIII−VIII線矢視図である。
【００３５】
図１から図３に示すように，本実施の形態の茶畑用機械システム１は，茶畑において畝を覆う架台２と，架台２に取り換え可能に設置される機械器具３と，を備えている。
機械器具３は，茶摘みを行うための茶摘機械器具，剪定を行うための剪定機械器具，農薬を散布するための農薬散布機械器具，肥料を撒くための施肥機械器具のいずれか又は複数からなる。
本実施の形態の茶畑用機械システム１の構成によれば，架台２に設置される機械器具３を取り換えることにより，茶摘み，剪定，農薬散布，施肥，これらをはじめとする機能の発揮が可能となる。そして，これにより，従来，複数種の独立した機械を用いて行われていた茶葉の生産と同等の作業を，比較的安価で済む機能ユニット（機械器具）の交換によって行うことが可能となり，より経済的な茶葉の生産が期待できる。
【００３６】
架台２は，屋根状部材２ａと，屋根状部材２ａを支持するための脚状部材２ｂと，畝の長手方向に沿って配置される左右一対のレール状部材２ｃ，２ｃと，左右一対のレール状部材２ｃ，２ｃに移動可能に取り付けられる機械器具設置部材２ｄと，を備えている。そして，機械器具３を機械器具設置部材２ｄに設置することにより，機械器具３が左右一対のレール状部材２ｃ，２ｃに沿って移動可能となる。
ここで，屋根状部材２ａは，金属製の平面状部材からなっている。また，脚状部材２ｂは，金属製の柱状部材からなっている。
かかる構成によれば，架台２を，比較的，簡易な部材で設計することができ，本実施の形態の茶畑用機械システム１の取扱性や経済性を向上させることができる。特に，架台２が脚状部材２ｂを備えることにより，畝の間の部分への重量付加を減少させることができるため，土壌への悪影響を低減することが可能となる。
本実施の形態の茶畑用機械システム１においては，左右一対のレール状部材２ｃ，２ｃが二列設けられ，各レール状部材２ｃ，２ｃに機械器具設置部材２ｄが取り付けられている。そして，これにより，二列の畝の茶摘み作業等を同時に行うことができるようにされている。
【００３７】
図３に示すように，屋根状部材２ａは，角度調整可能となっている（両矢印Ａ，Ｂを参照）。
かかる構成によれば，畝に対する日当たり具合を調整することで，茶の成長を阻害せず，むしろ茶の渋みや甘みをコントロールすることが可能となる。
また，屋根状部材２ａの上面には，太陽光パネル５が器具を用いて設置されている。
かかる構成によれば，本実施の形態の茶畑用機械システム１において太陽光発電を行うことが可能となり，発電した電力を，機械器具３を駆動するために利用したり，発電した電力を売電することによって収入を得ることで，農地における単位面積当たりの収入が向上することが期待できる。
【００３８】
左右一対のレール状部材２ｃ，２ｃは，対面する側が開口した一対のＣ型鋼（リップ溝形鋼）からなっており，当該左右一対のレール状部材２ｃ，２ｃは，架台２を構成する梁材２ｆの下面に固定されている。そして，当該左右一対のレール状部材２ｃ，２ｃには，機械器具設置部材２ｄの構成部材である前後一対の水平桿２ｌ, ２ｌの左右両端に取り付けられたローラ２ｅが回動可能に嵌め込まれており，機械器具３を機械器具設置部材２ｄに設置することにより，機械器具３を，左右一対のレール状部材２ｃ，２ｃに沿って畝の長手方向に移動させることができるようにされている。
ここで，ローラ２ｅは，ローラ駆動モータ（不図示）によって回転駆動される。
【００３９】
図３から図６に示すように，機械器具設置部材２ｄは，機械器具３の取り付けに対応した部材２ｇと，金属製フレーム２ｈと，の組み合わせによって構成されている。なお，金属製フレーム２ｈには，上記した前後一対の水平桿２ｌ，２ｌ及びローラ２ｅも含まれる。
【００４０】
本実施の形態においては，機械器具３が茶摘機械器具である場合を例示している。
機械器具３として少なくとも茶摘機械器具を備えることにより，効率的な茶摘み作業が可能となり，本実施の形態の茶畑用機械システム１の有用性を向上させることができる。
【００４１】
図５，図６に示すように，機械器具３としての茶摘機械器具（便宜上，以後，機械器具と同じ参照符号「３」を付す）は，「切り離し位置」において機械器具設置部材２ｄに連結設置される。
図５から図８に示すように，茶摘機械器具３は，機械器具設置部材２ｄに懸垂される吊り下げ部材３ａと，吊り下げ部材３ａに連結され，前後が開口した機筐３ｂと，機筐３ｂの底板３ｃの前縁部に沿設されたバリカン式刈刃（不図示）と，機筐３ｂの一側上部に搭載された原動機３ｅ及び送風機３ｆと，刈刃の斜め前上方に沿わせて配設された，送風機３ｆの吹出口と連通する送風管３ｇと，送風管３ｇに刈刃方向に臨ませて並設された複数の排風口（不図示）と，を備えている。
なお，図１，図２中，参照符号４は「茶摘み袋」を示しており，当該茶摘み袋４は，茶摘機械器具３の機筐３ｂの後部に装着される。
【００４２】
以上説明した茶摘機械器具３の構成によれば，原動機３ｅを駆動させることで，送風機３ｆ及び刈刃を作動させ、この状態で畝上をその長手方向に進行させ、往復動する刈刃によって茶葉を刈り取ることができる。刈り取られた茶葉は、送風機３ｆによって起風された風が送風管３ｇを経て排風口から吹き出されることにより、後方に吹き飛ばされて茶摘み袋４に収容される。
【００４３】
吊り下げ部材３ａは，中間部材３ｈ及び水平枠体３ｉを介して機械器具設置部材２ｄに懸垂されている。
水平枠体３ｉには，左右方向に延出させて前後一対の軌道軸３ｊ，３ｊが固設されている。そして，当該前後一対の軌道軸３ｊ，３ｊには，中間部材３ｈがクランプレバー付きリニアブッシュ３ｋを介して左右スライド可能に支持されている。
かかる構成によれば，架台２を茶畑に据え付けた後に，茶摘機械器具３の左右方向の位置を調整して，当該茶摘機械器具３を畝の位置に持ってくることが可能となる。
【００４４】
図１から図３に示すように，本実施の形態の茶畑用機械システム１は，補助的部材として，茶摘みの際の茶摘み袋４を載せるための枠状部材６や，機械器具３の設置や茶摘み袋４の移動を補助するための台車７を備えている。ここで，枠状部材６は，機械器具設置部材２ｄの場合と同様の機構により，左右一対のレール状部材２ｃ，２ｃに沿って畝の長手方向に移動させることができるようにされている。
これらの補助的部材を備えることにより，作業者の少人数化や重労働の軽減が可能となる。
【００４５】
なお，上記実施の形態においては，機械器具３が機械器具設置部材２ｄを介して左右一対のレール状部材２ｃ，２ｃに取り付けられる場合を例に挙げて説明したが，本発明は必ずしもこのような構成に限定されるものではない。機械器具設置部材を，機械器具と一体化させたものとして構成してもよい。すなわち，機械器具そのものが，左右一対のレール状部材２ｃ，２ｃに直接取り付けられる構成であってもよい。
【００４６】
また，上記実施の形態においては，左右一対のレール状部材２ｃ，２ｃが二列設けられている場合を例に挙げて説明したが，本発明は必ずしもこのような構成に限定されるものではない。左右一対のレール状部材の数は１つであっても，３つ以上であってもよい。
特に左右一対のレール状部材の数が１つである場合には，機械器具設置部材が，畝の長手方向と直交する方向に配置され，前記左右一対のレール状部材に移動可能に取り付けられる前後一対のレール状部材と，前記前後一対のレール状部材に移動可能に取り付けられる機械器具設置部材本体と，を備えるようにすることが好ましい。
かかる好ましい構成によれば，機械器具を左右方向に自由に移動させることができるので，１台の機械器具で複数列の畝の茶摘み作業等を行うことが可能となる。
【００４７】
＜＜III．試作例＞＞
図９は，茶畑用機械システムにおいて設置された茶摘機械器具の試作例を示した図である。
【符号の説明】
【００４８】
１  茶畑用機械システム
２  架台
２ａ  屋根状部材
２ｂ  脚状部材
２ｃ  レール状部材
２ｄ  機械器具設置部材
２ｅ  ローラ
２ｆ  梁材
２ｇ  機械器具の取り付けに対応した部材
２ｈ  金属製フレーム
２ｌ  水平桿
３  機械器具（茶摘機械器具）
３ａ  吊り下げ部材
３ｂ  機筐
３ｃ  底板
３ｅ  原動機
３ｆ  送風機
３ｇ  送風管
３ｈ  中間部材
３ｉ  水平枠体
３ｊ  軌道軸
３ｋ  クランプレバー付きリニアブッシュ
４  茶摘み袋
５  太陽光パネル
６  枠状部材
７  台車
【図１】
2019037146.tif 000003
【図２】
2019037146.tif 000004
【図３】
2019037146.tif 000005
【図４】
2019037146.tif 000006
【図５】
2019037146.tif 000007
【図６】
2019037146.tif 000008
【図７】
2019037146.tif 000009
【図８】
2019037146.tif 000010
【図９】
2019037146.tif 000011